(57)【要約】【課題】２つの通信システムを切り換えて通信を行うハイブリッド方法の無線通信端末における、無線通信端末及び通信方式の改善に関する。【解決手段】第１の通信方式と第２の通信方式とを使用して各々の通信方式において基地局１００と無線通信を行うと共に両方式で待受け可能な無線通信端末において、基地局が送信する信号の品質を測定する測定手段と、待受け基地局及び他の基地局から送信される信号の品質に基づいて第２の通信方式における待受け中のハンドオフの判定をするハンドオフ判定手段と、前記第１の通信方式の状態に応じて、前記第２の通信方式における待受け中のハンドオフの判定基準を変更する制御手段と、を備えた。【選択図】    図１
2004193852.tif 000002
【特許請求の範囲】
【請求項１】
第１の通信方式と第２の通信方式とを使用して各々の通信方式において基地局と無線通信を行うと共に両方式で待受け可能な無線通信端末において、
基地局が送信する信号の品質を測定する測定手段と、
待受け基地局及び他の基地局から送信される信号の品質に基づいて第２の通信方式における待受け中のハンドオフの判定をするハンドオフ判定手段と、
前記第１の通信方式の状態に応じて、前記第２の通信方式における待受け中のハンドオフの判定基準を変更する制御手段と、
を備えたことを特徴とする無線通信端末。
【請求項２】
前記制御手段は、前記第１の通信方式が待受け中の場合は、前記第２の通信方式の待受け中のハンドオフ判定に第一判定基準値を設定し、前記第１の通信方式が通信中の場合は、前記第２の通信方式の待受け中のハンドオフ判定に第二判定基準値を設定することを特徴とする請求項１に記載の無線通信端末。
【請求項３】
前記制御手段は、前記第二の判定基準値を前記第一の判定基準値に比べ前記第２の通信方式のハンドオフの頻度が減少するように設定することを特徴とする請求項２に記載の無線通信端末。
【請求項４】
前記第１の通信方式は１ｘＥＶＤＯシステムであり、前記第２の通信方式はｃｄｍａ２０００  １ｘシステムであることを特徴とする請求項１乃至３に記載の無線通信端末。
【請求項５】
第１の通信方式と第２の通信方式とを使用して各々の通信方式において基地局と無線通信を行うと共に両方式で待受け可能な無線通信端末のハンドオフ判定方法において、
前記第１の通信方式の状態に応じて、前記第２の通信方式のハンドオフ判定基準を変更し、該変更したハンドオフ判定基準に基づいて第２の通信方式におけるハンドオフを判定することを特徴とするハンドオフ判定方法。
【請求項６】
前記第１の通信方式が待受け中の場合は、前記第２の通信方式の待受け中のハンドオフ判定に第一判定基準値を設定し、前記第１の通信方式が通信中の場合は、前記第２の通信方式の待受け中のハンドオフ判定に第二判定基準値を設定することを特徴とする請求項５に記載のハンドオフ判定方法。
【請求項７】
前記第二の判定基準値は前記第一の判定基準値に比べ前記第２の通信方式のハンドオフの頻度が減少するように設定することを特徴とする請求項６に記載のハンドオフ判定方法。
【請求項８】
前記第１の通信方式は１ｘＥＶＤＯシステムであり、前記第２の通信方式はｃｄｍａ２０００  １ｘシステムであることを特徴とする請求項５乃至７に記載のハンドオフ判定方法。
【発明の詳細な説明】
【０００１】
【発明の属する技術分野】
２つの通信システムを切り替えて通信を行うハイブリッド方式の無線通信端末における、無線通信端末及びハンドオフ判定方法に関する。
【０００２】
【従来の技術】
２つの通信システムを切り替えて基地局と通信を行うことのできる無線通信端末にデュアル方式の無線通信端末が知られている。
【０００３】
【特許文献１】
特開平０９−１７２６７５号公報
【０００４】
【発明が解決しようとする課題】
上述したデュアル方式の無線通信端末において、一方の通信方式を使った通信中に他方の通信方式の無線通信状態を測定し、着信の監視を行うことができるものを、特にハイブリッド方式と呼ぶ。
【０００５】
このハイブリッド方式の無線通信端末において、特に音声通信が主体のｃｄｍａ２０００  １ｘシステムと、データ通信専用の１ｘＥＶＤＯシステムとのハイブリッド方式の無線通信端末は、１ｘＥＶＤＯがデータ通信中を行っている間に、ｃｄｍａ２０００  １ｘの着信を監視するため、所定の間隔（例えば５．１２秒間隔）で、１ｘＥＶＤＯのデータ通信を保留し、アンテナと無線部をｃｄｍａ２０００  １ｘに切り替え、ｃｄｍａ２０００  １ｘでのシステム監視を行う。その後システム監視処理が終了すると、再び１ｘＥＶＤＯにアンテナと無線部を切り替え、１ｘＥＶＤＯデータ通信を再開する。ここで、無線通信端末のいるエリアがｃｄｍａ２０００  １ｘシステムとして複数の基地局のサービスエリアの境界付近（複数の基地局からの信号の受信品質（Ｃ／Ｉ値）が拮抗している場合）の場合はｃｄｍａ２０００  １ｘシステムはアイドルハンドオフ（待受状態でのハンドオフ）を頻繁に繰り返す場合がある。この状況下では、ｃｄｍａ２０００１ｘの着信監視のため上記所定の間隔で１ｘＥＶＤＯシステムからｃｄｍａ２０００  １ｘシステムに切り替わり、ｃｄｍａ２０００  １ｘのシステム監視処理を行うが、その際ｃｄｍａ２０００  １ｘシステムのアイドルハンドオフが検出され、更にアイドルハンドオフ処理後も連続してアイドルハンドオフが連続検出されると、無線通信端末のアンテナ部及び無線部はｃｄｍａ２０００  １ｘシステムが占有したままになってしまうため、この占有が一定の時間を経過すると、１ｘＥＶＤＯシステム側では電波が断たれていると判断し通信の中断処理を行ってしまう（図４参照）。よって、１ｘＥＶＤＯデータ通信中に１ｘＥＶＤＯシステムの電波状態には関係なく、ｃｄｍａ２０００  １ｘシステムの繰り返されるアイドルハンドオフにより１ｘＥＶＤＯシステムのデータ通信が切断されてしまう。
【０００６】
本発明は上記の問題に鑑みてなされたものであり、ｃｄｍａ２０００  １ｘシステムと１ｘＥＶＤＯシステムとの２つのシステムを切り替えて基地局と通信を行うハイブリッド通信端末において、ｃｄｍａ２０００  １ｘシステム側で頻繁にアイドルハンドオフを繰り返す電波状態であっても、１ｘＥＶＤＯシステム側のデータ通信中に不足の通信中断が発生しない無線通信端末を提供することを目的とする。
【０００７】
【課題を解決するための手段】
第１の発明は、第１の通信方式と第２の通信方式とを使用して各々の通信方式において基地局と無線通信を行うと共に両方式で待受け可能な無線通信端末において、基地局が送信する信号の品質を測定する測定手段と、待受け基地局及び他の基地局から送信される信号の品質に基づいて第２の通信方式における待受け中のハンドオフの判定をするハンドオフ判定手段と、前記第１の通信方式の状態に応じて、前記第２の通信方式における待受け中のハンドオフの判定基準を変更する制御手段と、を備えたことを特徴とする無線通信端末。
【０００８】
第２の発明は、第１の発明において、前記制御手段は、前記第１の通信方式が待受け中の場合は、前記第２の通信方式の待受け中のハンドオフ判定に第一判定基準値を設定し、前記第１の通信方式が通信中の場合は、前記第２の通信方式の待受け中のハンドオフ判定に第二判定基準値を設定することを特徴とする。
【０００９】
第３の発明は、第２の発明において、前記制御手段は、前記第二の判定基準値を前記第一の判定基準値に比べ前記第２の通信方式のハンドオフの頻度が減少するように設定することを特徴とする。
【００１０】
第４の発明は、第１から３の発明において、前記第１の通信方式は１ｘＥＶＤＯシステムであり、前記第２の通信方式はｃｄｍａ２０００  １ｘシステムであることを特徴とする。
【００１１】
第５の発明は、第１の通信方式と第２の通信方式とを使用して各々の通信方式において基地局と無線通信を行うと共に両方式で待受け可能な無線通信端末のハンドオフ判定方法において、記第１の通信方式の状態に応じて、前記第２の通信方式のハンドオフ判定基準を変更し、該変更したハンドオフ判定基準に基づいて第２の通信方式におけるハンドオフを判定することを特徴とする。
【００１２】
第６の発明は、第５の発明において、前記第１の通信方式が待受け中の場合は、前記第２の通信方式の待受け中のハンドオフ判定に第一判定基準値を設定し、前記第１の通信方式が通信中の場合は、前記第２の通信方式の待受け中のハンドオフ判定に第二判定基準値を設定することを特徴とする。
【００１３】
第７の発明は、第６の発明において、前記第二の判定基準値を、前記第一の判定基準値に比べ前記第２の通信方式のハンドオフの頻度が減少するように設定することを特徴とする。
【００１４】
第８の発明は、第５から７の発明において、前記第１の通信方式は１ｘＥＶＤＯシステムであり、前記第２の通信方式はｃｄｍａ２０００  １ｘシステムであることを特徴とする。
【００１５】
【発明の実施の形態】
以下に、本発明の実施の形態を図面を参照して説明する。
【００１６】
図１は、本発明の実施の形態の無線通信端末の構成を表したブロック図である。
【００１７】
本実施の形態の無線通信端末は、ｃｄｍａ２０００  １ｘ方式の通信システムと１ｘＥＶＤＯ（１ｘ  Ｅｖｏｌｕｔｉｏｎ  Ｄａｔａ  Ｏｎｌｙ）方式の通信システムとを選択的に切り替えて基地局１００Ａと基地局１００Ｂとの間をハンドオフを行って移動しながら通信をすることのできる無線通信端末である。
【００１８】
アンテナ１０は無線部２０からの高周波信号を電波に変換し基地局１００Ａ、１００Ｂに送信し、また、基地局１００Ａ、１００Ｂからの電波を受信して無線部２０に高周波信号として送る。
【００１９】
無線部２０は、アンテナ１０から送られた高周波信号をベースバンド信号に変換し切替部３０を経由して、無線処理部４０、５０に送り、また、無線処理部４０、５０から切替部３０を経由して送られたベースバンド信号を高周波信号に変換しアンテナ１０へ送る。
【００２０】
切替部３０は、１ｘＥＶＤＯ無線処理部４０又はｃｄｍａ２０００  １ｘ無線処理部５０からのベースバンド信号を選択的に無線部２０に送り、また無線部２０からのベースバンド信号を選択的に１ｘＥＶＤＯ無線処理部４０又はｃｄｍａ２０００  １ｘ無線処理部５０に送る。
【００２１】
１ｘＥＶＤＯ無線処理部４０は、１ｘＥＶＤＯ形式で送信されたデータ信号をベースバンド信号に変換し、切替部３０を経由して無線部２０に送る。また、無線部２０から切替部３０を経由して送られてきたベースバンド信号を１ｘＥＶＤＯ形式のデータ信号に変換する。
【００２２】
ｃｄｍａ２０００  １ｘ無線処理部５０は、１ｘＥＶＤＯ無線処理部４０と同様に、ｃｄｍａ２０００  １ｘ形式で送信されたデータ又は音声信号をベースバンド信号に変換し、切替部３０を経由して無線部２０に送る。また、無線部２０から切替部３０を経由して送られてきたベースバンド信号をｃｄｍａ２０００  １ｘ形式のデータ又は音声信号に変換する。
【００２３】
ハイブリッド部６０は、１ｘＥＶＤＯ及びｃｄｍａ２０００  １ｘの２つの通信システムを選択的に切り替えて２つの通信システムを制御する制御部であり、切替部３０、１ｘＥＶＤＯ無線処理部４０及びｃｄｍａ２０００  １ｘ無線処理部５０にそれぞれ接続され各々の切り替えを制御する。特に、待受中は、所定の時間間隔で２つの通信システムを選択的に切り替えて、両通信システムにおいて呼び出しを待ち受ける。またこのハイブリッド部６０にはメモリ７０、表示部８０、外部Ｉ／Ｏ９０が接続されている。
【００２４】
メモリ７０は、無線通信端末の制御用プログラムや通信データ等を要求に応じて書き込み又は読み出しを行うことのできる記憶部である。
【００２５】
表示部８０は、主にＬＣＤディスプレイ等によって構成され、無線通信端末の状態や通信データの表示等を行う表示部である。
【００２６】
外部Ｉ／Ｏ９０は、無線通信端末を他のパソコンやＰＤＡ等の外部機器に接続し、各種データの送受信を行うことのできるインターフェイスである。
【００２７】
次に、以上のように構成された本発明の実施の形態の無線通信端末の動作を説明する。
【００２８】
本実施の形態の無線通信端末では、１ｘＥＶＤＯシステムのデータ通信中に所定の間隔で１ｘＥＶＤＯからｃｄｍａ２０００  １ｘにシステムを切り替え、着信のためのｃｄｍａ２０００  １ｘのシステム監視を行い、システム監視の終了後、再びシステムがｃｄｍａ２０００  １ｘから１ｘＥＶＤＯに切り替わり、データ通信を再開する。
【００２９】
この処理のタイムチャートを図２に示す。図２によると、１ｘＥＶＤＯシステムがデータ通信を行い、基地局１００と連続して通信を行っている（Ａｃｔｉｖｅ）場合に、所定の間隔（５．１２秒）毎にアンテナ１０及び無線部２０をｃｄｍａ２０００  １ｘシステム側に切り替え（このとき１ｘＥＶＤＯは待機状態（Ｉｎａｃｔｉｖｅ）となる）、ｃｄｍａ２０００  １ｘシステムは基地局から送信される呼出メッセージを受信する着信検出処理を行う。また、同時に、基地局から送信される信号の状態を監視する。このとき、ｃｄｍａ２０００  １ｘシステムの基地局から送信されるパイロット信号の状態（Ｃ／Ｉ値、ＲＳＳＩ等）が悪ければ、ｃｄｍａ２０００  １ｘシステム側でアイドルハンドオフが行われる。
【００３０】
ｃｄｍａ２０００  １ｘシステム側の着信検出処理中に１ｘＥＶＤＯシステム側はアンテナ１０及び無線部２０から解放されているため基地局からの電波を検出することができない。このとき１ｘＥＶＤＯシステムでは電波断の監視タイマが動作し、電波断状態の時間を計測する。一連のシステム監視処理が終了すると、ｃｄｍａ２０００  １ｘシステムはアンテナ１０及び無線部２０を解放し、待機状態（Ｉｎａｃｔｉｖｅ）に移行する。アンテナ１０及び無線部２０がｃｄｍａ２０００  １ｘより開放されると、再び１ｘＥＶＤＯシステム側に切り替わる。そして、１ｘＥＶＤＯシステム側では電波を再び検出するため、電波断の監視タイマを停止し、データ通信を再開する。１ｘＥＶＤＯシステムにおけるデータ通信はパケット通信によって行われるので、上記のようにシステムが切り替わり電波の切断を検出したとしても所定の時間以内に通信が再開されればデータの一貫性は保たれ通信を継続して行うことができる。なお、前述したように、ｃｄｍａ２０００  １ｘシステム側の着信検出処理においてアイドルハンドオフが行われると、アイドルハンドオフに要する時間分、１ｘＥＶＤＯシステム側への復帰が遅くなる。１ｘＥＶＤＯシステムが通信を行っている間は、上記のシステムの切り替え処理が繰り返し行われて、ｃｄｍａ２０００  １ｘシステム側での着信を検出する。
【００３１】
次に、本発明の無線通信端末におけるアイドルハンドオフの判定について説明するが、その前に、ｃｄｍａ２０００  １ｘシステムにおける、従来のアイドルハンドオフの判定について説明する。
【００３２】
図３はｃｄｍａ２０００  １ｘシステムの従来のアイドルハンドオフ（待受状態でのハンドオフ）の判定処理を示した図である。
【００３３】
縦軸は基地局から送信される信号の品質（Ｃ／Ｉ）、横軸は時間を表し、太線は基地局から送信された信号のＣ／Ｉ値（実線は基地局Ａからの信号のＣ／Ｉ値、破線は基地局Ｂからの信号のＣ／Ｉ値）、細線は基地局から送信された信号のＣ／Ｉ値にアイドルハンドオフ判定の閾値αを加算した値（同様に、実線は基地局Ａからの信号のＣ／Ｉ値にαを加算した値、破線は基地局Ｂから信号のＣ／Ｉ値にαを加算した値）をそれぞれ示す。
【００３４】
ｃｄｍａ２０００  １ｘシステムは、２つの基地局Ａ及びＢからの電波を受信し、各々の基地局からの信号のＣ／Ｉ値を計算している。まず、無線通信端末が基地局Ａと通信を行っている場合に、基地局ＢのＣ／Ｉ値（太破線）が、基地局ＡのＣ／Ｉ値（太実線）よりも大きくなり、基地局ＢのＣ／Ｉ値とアイドルハンドオフ判定の閾値αとを加算した値（細実線）を超えると、無線通信端末はアイドルハンドオフが必要と判断し、基地局Ａから基地局Ｂにアイドルハンドオフ（１）を行う。
【００３５】
次に、基地局ＡのＣ／Ｉ値（太実線）が、基地局ＢのＣ／Ｉ値（太破線）よりも大きくなり、基地局ＢのＣ／Ｉ値とアイドルハンドオフ判定の閾値αとを加算した値（細実線）を超えると、無線通信端末はアイドルハンドオフが必要と判断し、基地局Ｂから基地局Ａにアイドルハンドオフ（２）を行う。
【００３６】
図４は、アイドルハンドオフが頻繁に起こる状態における、従来のアイドルハンドオフの判定を示した図である。
【００３７】
図４（ａ）では、ｃｄｍａ２０００  １ｘシステムにおいて、太実線は基地局Ａからの信号のＣ／Ｉ値、太破線は基地局Ｂからの信号のＣ／Ｉ値、細実線は基地局Ａからの信号のＣ／Ｉ値にハンドオフ判定の閾値αを加算した値、細破線は基地局Ｂからの信号のＣ／Ｉ値にアイドルハンドオフ判定の閾値αを加算した値をそれぞれ示している。また、図４（ｂ）は、１ｘＥＶＤＯシステムとｃｄｍａ２０００  １ｘシステムとの通信状態を示す。
【００３８】
図４（ａ）のように、１ｘＥＶＤＯが通信中のときｃｄｍａ２０００  １ｘシステムで頻繁にアイドルハンドオフが行われる場合、すなわち、ｃｄｍａ２０００  １ｘシステムが待機状態（Ｉｎａｃｔｉｖｅ）に移行する前に繰り返してアイドルハンドオフが発生した場合、無線通信端末のアンテナ１０及び無線部２０がｃｄｍａ２０００  １ｘシステムに占有され、待機状態に移行することができない。このとき、１ｘＥＶＤＯシステム側では前述した監視タイマによって電波断状態の時間を計測しているが、この電波断状態が所定の時間（ＳｕｐｅｒｖｉｓｉｏｎＴｉｍｅ）を超えると、１ｘＥＶＤＯシステムは基地局からの電波が途絶えた、すなわち圏外状態となったことによるシステムロストと判定し、データ通信の終了するための処理を行い、通信を終了する。そのため、データ通信を再開するためには、ユーザは再度無線通信端末を操作し、通信再開の指示等をしなければならない。
【００３９】
１ｘＥＶＤＯシステムの基地局とｃｄｍａ２０００  １ｘシステムの基地局とは必ずしも同じ場所に存在するわけではなく、両システムのセル範囲は同一ではない場合がある。そのため、１ｘＥＤＶＯシステムにおいては充分な電波品質で通信を行っているにもかかわらず、上記のようなｃｄｍａ２０００  １ｘシステム側での受信品質の劣化による、１ｘＥＤＶＯシステム側のデータ通信の切断が発生する結果となる。
【００４０】
そこで、本実施の形態の無線通信端末では、ｃｄｍａ２０００  １ｘシステム側での電波状態が原因となる連続したアイドルハンドオフにより、１ｘＥＶＤＯシステムの通信断が発生することを回避するため、１ｘＥＶＤＯシステムがデータ通信中の場合は、ｃｄｍａ２０００  １ｘシステムにおけるアイドルハンドオフの閾値に対してさらに所定の補正値を加算する補正を行って、ハンドオフを行うか否かの判定の閾値を変更して、アイドルハンドオフの発生頻度を少なくするよう構成した。
【００４１】
図５は、本実施の形態の無線通信端末の１ｘＥＶＤＯシステムにおける通信中の処理の流れを示したフローチャートである。
【００４２】
無線通信端末が、１ｘＥＶＤＯシステムによるデータ通信を開始したか否かを判断する（ステップ１０１）。データ通信が開始されているならば、ｃｄｍａ２０００  １ｘシステムにおけるアイドルハンドオフ判定の閾値αに対して補正値βを加算する（ステップ１０２）。
【００４３】
次に、１ｘＥＶＤＯシステムによるデータ通信が終了したか否かを判定する（ステップ１０３）。データ通信が終了したならば、通常のアイドルハンドオフ判定の閾値αに戻す（ステップ１０４）。
【００４４】
図６は、上記の処理によってアイドルハンドオフ判定値を変更した場合のアイドルハンドオフの判定方法を示した図である。
【００４５】
図６（ａ）の縦軸は基地局から送信される信号の品質（Ｃ／Ｉ）、横軸は時間を表す。また、太線は基地局から送信された信号のＣ／Ｉ値（実線は基地局Ａからの信号のＣ／Ｉ値、破線は基地局Ｂからの信号のＣ／Ｉ値）、細線は基地局から送信された信号のＣ／Ｉ値にハンドオフ判定の閾値α及び補正値βを加算した値（同様に、実線は基地局Ａからの信号のＣ／Ｉ値にα＋βを加算した値、破線は基地局Ｂからの信号のＣ／Ｉ値にα＋βを加算した値）をそれぞれ示している。また、図６（ｂ）は、１ｘＥＶＤＯシステムとｃｄｍａ２０００  １ｘシステムとの通信状態を示す。
【００４６】
図６（ａ）では、図４（ａ）と同様に基地局Ａの受信品質と基地局Ｂの受信品質とが拮抗しており、ｃｄｍａ２０００  １ｘシステムがアイドルハンドオフを繰り返すような状態であるが、上記図５のステップ１０２の処理によってハンドオフ判定の閾値αに補正値βを加算することで、図６の例ではアイドルハンドオフは点線部の一度しか発生せず、このアイドルハンドオフ処理が終了するとｃｄｍａ２０００  １ｘシステムは待機状態（Ｉｎａｃｔｉｖｅ）に移行し、１ｘＥＶＤＯにシステムを切り替えるので、１ｘＥＶＤＯのデータ通信処理を再開することができ、データ通信が切断されることがない。
【００４７】
この補正値βは、ｃｄｍａ２０００  １ｘシステムの基地局及び１ｘＥＶＤＯの基地局の位置関係から計算又は実験によりアイドルハンドオフの頻度を減らせるような最適な値に予め設定しておくことが望ましい。
【００４８】
また、１ｘＥＶＤＯシステムがデータ通信中におけるｃｄｍａ２０００  １ｘの所定の補正は前記補正値βに限定されるものではなく、例えば所定値を乗算するものでも良く、１ｘＥＶＤＯシステムがデータ通信中にｃｄｍａ２０００  １ｘシステムのアイドルハンドオフが頻繁に発生しないようアイドルハドオフ判定の閾値（判定基準）を変更するものであればよい。
【００４９】
なお、本発明の実施の形態ではＣ／Ｉ値をアイドルハンドオフの判定に用いたが、これをＲＳＳＩ（受信信号強度）値を用いてもよい。
【００５０】
上記のように構成された本発明の実施の形態では、音声通信とデータ通信との両方に用いられるｃｄｍａ２０００  １ｘシステムと、データ通信のみに用いられる１ｘＥＶＤＯシステムとを切り替えて通信を行うハイブリッド無線通信端末において、１ｘＥＶＤＯシステムがデータ通信を行っているときに、ｃｄｍａ２０００  １ｘシステムのアイドルハンドオフを行うか否かの判定値に対して補正を行い、ｃｄｍａ２０００  １ｘシステムが頻繁にアイドルハンドオフを行うような領域においてもアイドルハンドオフの頻度を減らすことで、システムが１ｘＥＶＤＯシステムに切り替わらず電波断の状態が所定時間を超えたときにデータ通信が終了されるような不測の通信断の発生を減らすことができ、安定したデータ通信を行うことができ、さらに、データ通信のスループットを向上することができる。
【００５１】
【発明の効果】
本発明によると、第１の通信方式における通信中は、前記第２の通信方式におけるハンドオフの頻度を減らすことができるので、第１の通信方式における不測のデータ通信切断の頻度が下がり、安定したデータ通信を行えるとともに、データ通信のスループットを向上することができる。
【図面の簡単な説明】
【図１】本発明の実施の形態の無線通信端末のブロック図である。
【図２】１ｘＥＶＤＯシステム及びｃｄｍａ２０００  １ｘシステムの動作状態のタイムチャートである。
【図３】ｃｄｍａ２０００  １ｘシステムにおける従来のアイドルハンドオフの判定の説明図である。
【図４】ｃｄｍａ２０００  １ｘシステムにおける従来のアイドルハンドオフの判定の説明図である。
【図５】本発明の実施の形態の無線通信端末の通信中のアイドルハンドオフの閾値の処理のフローチャートである。
【図６】ｃｄｍａ２０００  １ｘシステムにおける本発明の実施の形態のアイドルハンドオフの判定の説明図である。
【符号の説明】
１０  アンテナ
２０  無線部
３０  切替部
４０  １ｘＥＶＤＯ無線処理部
５０  ｃｄｍａ２０００  １ｘ無線処理部
６０  ハイブリッド部
７０  メモリ
８０  表示部
９０外部Ｉ／Ｏ
１００Ａ、１００Ｂ  基地局
【図１】
2004193852.tif 000003
【図２】
2004193852.tif 000004
【図３】
2004193852.tif 000005
【図４】
2004193852.tif 000006
【図５】
2004193852.tif 000007
【図６】
2004193852.tif 000008